(57)【要約】【課題】ＡＶアンプのような音声信号源のラインアウト端子と音声出力装置の入力端子とを接続することで音声信号について形成されるＧＮＤループに起因して、音声出力装置にハム音等のノイズが発生するという課題があった。【解決手段】音声出力装置において、１つのチャンネルの音声信号を入力するように設けられた入力部１１，１２と、スピーカと、スピーカに入力される音声信号を生成する音声信号処理回路と、入力部１１と入力部１２との間に介装される１次側巻線コイル１６、および互いに逆相の音声信号を出力する２次側巻線コイル３２，３３を備えるトランス３１と、２次側巻線３２からの音声信号を非反転入力部に入力するとともに２次側巻線３３からの音声信号を反転入力部に入力する差動増幅器３８とを有して構成される。【選択図】　　　図３
2004112161.tif 000002
【特許請求の範囲】
【請求項１】
１つのチャンネルの音声信号を入力するように設けられた第１の音声信号入力端子および第２の音声信号入力端子と、
音声出力手段と、
該音声出力手段に入力される音声信号を生成する音声信号処理手段と、
前記第１の音声信号入力端子と前記第２の音声信号入力端子との間に介装される１次側巻線コイルと、前記音声信号処理手段に接続される２次側巻線コイルとを備えるトランスとを有して構成されることを特徴とする音声出力装置。
【請求項２】
１つのチャンネルの音声信号を入力するように設けられた第１の音声信号入力端子および第２の音声信号入力端子と、
音声出力手段と、
該音声出力手段に入力される音声信号を生成する音声信号処理手段と、
前記第１の音声信号入力端子と前記第２の音声信号入力端子との間に介装される１次側巻線コイルと、互いに逆相の音声信号を出力する第１の２次側巻線コイルおよび第２の２次側巻線コイルとを備えるトランスと、
前記第１の２次側巻線コイルから出力される音声信号を非反転入力部に入力し、前記第２の２次側巻線コイルから出力される音声信号を反転入力部に入力して、出力信号を前記音声信号処理手段に供給する差動増幅手段とを有して構成されることを特徴とする音声出力装置。
【発明の詳細な説明】
【０００１】
【発明の属する技術分野】
この発明は、音声出力装置に係り、特にノイズを低減するように音声信号入力部と音声信号処理部との間にトランスを設けたことを特徴とする音声出力装置に関するものである。
【０００２】
【従来の技術】
図１は、音声出力装置の概略構成を示すブロック図である。図１において、１は音声信号源として与えられるＡＶアンプ、２は音声出力装置、３ａ，３ｂは音声信号入力端子、４は音声信号を信号処理し易い音声レベルに調整するとともに音声信号に含まれるノイズを除去する音声信号前処理回路、５はデジタルシグナルプロセッサ、メインアンプ等を有して構成される音声信号処理回路、６はスピーカである。
【０００３】
上記のような構成を有する音声出力装置については、従来において、ＡＶアンプ等の音声信号源の装置内において、音声出力対象であるスピーカの特性に応じてデジタル化音声信号を所定の特性に制御するデジタルシグナルプロセッサを設け、当該デジタルシグナルプロセッサにより得られたデジタル化音声信号をアナログ化して音声出力装置に供給することで、ノイズ低減を図っていた。このように、出力対象であるスピーカの特性に応じて音声信号を制御する技術については、例えば特許文献１において記載が為されている。
【０００４】
【特許文献１】
特開平１０−８４５９５号公報　（第３頁、第２図）
【０００５】
【発明が解決しようとする課題】
ＡＶアンプのような音声信号源のスピーカアウト端子と音声出力装置の入力端子とを接続すると、音声信号源の接地部並びに音声出力装置の接地部を介して、音声信号について電気的なループ（以下、このようなループをＧＮＤループと称する）が形成される。したがって、上記のようにスピーカ等の特性に応じて音声信号を制御しても、ＧＮＤループが形成された際に、音声信号源の接地部と音声出力装置の接地部との間において生じるインピーダンス不整合に起因して、ハム音等のノイズが発生するという課題があった。
【０００６】
この発明は上記のような課題を解決するためになされたもので、ＧＮＤループに起因して発生するノイズを低減することができる音声出力装置を得ることを目的とする。
【０００７】
【課題を解決するための手段】
この発明に係る音声出力装置は、１つのチャンネルの音声信号を入力するように設けられた第１の音声信号入力端子および第２の音声信号入力端子と、音声出力手段と、音声出力手段に入力される音声信号を生成する音声信号処理手段と、第１の音声信号入力端子と第２の音声信号入力端子との間に介装される１次側巻線コイル、および音声信号処理手段に接続される２次側巻線コイルを備えるトランスとを有して構成されるようにしたものである。
【０００８】
この発明に係る音声出力装置は、１つのチャンネルの音声信号を入力するように設けられた第１の音声信号入力端子および第２の音声信号入力端子と、音声出力手段と、音声出力手段に入力される音声信号を生成する音声信号処理手段と、第１の音声信号入力端子と第２の音声信号入力端子との間に介装される１次側巻線コイル、並びに互いに逆相の音声信号を出力する第１の２次側巻線コイルおよび第２の２次側巻線コイルを備えるトランスと、第１の２次側巻線コイルから出力される音声信号を非反転入力部に入力し、第２の２次側巻線コイルから出力される音声信号を反転入力部に入力して、出力信号を音声信号処理手段に供給する差動増幅手段とを有して構成されるようにしたものである。
【０００９】
【発明の実施の形態】
以下、添付の図面を参照して本願発明に係る実施の形態について説明する。なお、本願発明の実施の形態に記載された実施例を構成する各要素と、特許請求の範囲に記載された発明を構成する各要素との対応関係を明らかにするために、本願発明の実施の形態に係る以下の説明文中において、実施例の各要素に対応する特許請求の範囲に記載された発明の各要素を、それぞれ実施例の各要素に続けて適宜かっこ書きにより示すものとする。
【００１０】
実施の形態１．
本願発明に係る音声出力装置は、全体構成については、従来の技術において引用した図１に示される音声出力装置と同じ構成をとるものとする。図１に示されるように、１つのチャンネルの音声信号について、プラス（＋）のスピーカアウト端子およびマイナス（−）のスピーカアウト端子を有するＡＶアンプからの入力を可能とするように、（＋）側音声信号入力端子（第１の音声信号入力端子）３ａおよび（−）側音声信号入力端子（第２の音声信号入力端子）３ｂから成る入力部を有することが本願発明に係る音声出力装置の構成についての前提となっている。このような入出力構成については、例をあげると、５．１チャンネルによるサラウンド環境を構築する際に、ＡＶアンプから出力されるセンタースピーカ対象の音声信号を例えばテレビのスピーカに入力するような場合に用いられる。
【００１１】
図２は、この発明の実施の形態１による音声信号前処理回路４の構成を示す回路図である。図２において、１１は（＋）側入力部、１２は（−）側入力部、１３，１４は抵抗、１５はトランス、１６は抵抗１３と抵抗１４との間に介装される１次側巻線コイル、１７は２次側巻線コイル、１８は接地部、１９はコンデンサ、２０はレベル調整用の抵抗、２１は出力部である。
【００１２】
音声信号入力端子３ａおよび音声信号入力端子３ｂから、入力部１１，１２を介して入力された音声信号は、抵抗１３、抵抗１４および１次側巻線コイル１６により与えられるインピーダンスにより減衰される。１次側巻線コイル１６に印加される音声信号は、トランス１５を介して２次側巻線１７に信号伝達され、出力部２１を介して音声信号処理回路（音声信号処理手段）５へ出力される。音声信号処理回路５において適切な信号処理が為された音声信号は、スピーカ（音声出力手段）６へ出力される。なお、抵抗１３，１４の抵抗値あるいは１次側巻線コイル１６のインダクタンスを変えることにより、音声信号処理回路５に入力される音声信号の信号レベルを適宜調整することが可能である。
【００１３】
以上のように、この実施の形態１によれば、音声信号前処理回路４において、音声信号を入力する（＋）側入力部１１と（−）側入力部１２との間に介装される１次側巻線１６と、出力部２１を介して音声信号処理回路５に接続される２次側巻線１７とを有して構成されるトランス１５を備えるように構成したので、トランス１５によりＡＶアンプ側回路と音声出力装置側回路とを絶縁してＧＮＤループを分離することができるから、ＧＮＤループに起因するノイズを低減することができるという効果を奏する。
【００１４】
実施の形態２．
図３は、この発明の実施の形態２による音声信号前処理回路の構成を示す回路図である。図３において、図２と同一符号は同一または相当部分を示すので、その説明を省略する。３１はトランス、３２は２次側巻線コイル（第１の２次側巻線コイル）、３３は２次側巻線コイル３２に励起される電圧信号と逆相の電圧信号が励起されるように巻回された２次側巻線コイル（第２の２次側巻線コイル）、３４，３５は直流成分を除去するためのコンデンサ、３６，３７はレベル調整用の抵抗、３８は差動増幅器（差動増幅手段）である。
【００１５】
次に、動作について説明する。
音声信号入力端子３ａおよび音声信号入力端子３ｂから、入力部１１，１２を介して入力された音声信号は、抵抗１３、抵抗１４および１次側巻線コイル１６により与えられるインピーダンスにより減衰される。１次側巻線コイル１６に印加される音声信号は、トランス３１を介して２次側巻線コイル３２および２次側巻線コイル３３に信号伝達される。２次側巻線コイル３２に発生する音声信号は、差動増幅器３８の非反転入力部に入力される。また、２次側巻線コイル３３に発生して２次側巻線コイル３２に発生する音声信号の反転信号として与えられる音声信号は、差動増幅器３８の反転入力部に入力される。差動増幅器３８は、２次側巻線コイル３２に発生する音声信号と２次側巻線コイル３３に発生する音声信号との差分を増幅して出力する。これにより、トランスの２次側で発生してそれぞれ２次側巻線コイル３２からの音声信号に重畳されたノイズと２次側巻線コイル３３からの音声信号に重畳されたノイズとが互いに相殺されるから、音声信号に含まれるノイズの信号レベルを低減することができる。
【００１６】
以上のように、この実施の形態２によれば、音声信号前処理回路４において、音声信号を入力する（＋）側入力部１１と（−）側入力部１２との間に介装される１次側巻線コイル１６と、互いに逆相となる音声信号を出力する２次側巻線コイル３２，３３とを有して構成されるトランス３１と、２次側巻線コイル３２から出力される音声信号を非反転入力部に入力するとともに２次側巻線コイル３３から出力される音声信号を反転入力部に入力する差動増幅器３８とを備える構成とすることで、実施の形態１により得られる効果に加えて、トランスの２次側で発生するノイズを差動増幅器により相殺して、音声信号に含まれるノイズをさらに低減することができるという効果を奏する。
【００１７】
なお、上記の実施の形態１および実施の形態２により説明される音声出力装置は、本願発明を限定するものではなく、例示することを意図して開示されているものである。本願発明の技術的範囲は特許請求の範囲の記載により定められるものであり、特許請求の範囲に記載された技術的範囲内において種々の設計的変更が可能である。例えば、上記の実施の形態においては、説明を容易にするために１チャンネルの音声信号を入力する構成としているが、個々のチャンネル毎に上記のような構成を有する回路を設けることで、複数チャンネルの音声信号を入力して複数のスピーカにより音声出力を為す態様を有する音声出力装置を構成することが可能である。
【００１８】
【発明の効果】
以上のように、この発明によれば、１つのチャンネルの音声信号を入力するように設けられた第１の音声信号入力端子および第２の音声信号入力端子と、音声出力手段と、音声出力手段に入力される音声信号を生成する音声信号処理手段と、第１の音声信号入力端子と第２の音声信号入力端子との間に介装される１次側巻線コイルと、音声信号処理手段に接続される２次側巻線コイルとを備えるトランスとを有して構成されるようにしたので、トランスにより音声信号源側の回路と音声出力装置側の回路とを絶縁してＧＮＤループを分離することができるから、ＧＮＤループに起因するノイズを低減することができるという効果を奏する。
【００１９】
この発明によれば、１つのチャンネルの音声信号を入力するように設けられた第１の音声信号入力端子および第２の音声信号入力端子と、音声出力手段と、音声出力手段に入力される音声信号を生成する音声信号処理手段と、第１の音声信号入力端子と第２の音声信号入力端子との間に介装される１次側巻線コイル、並びに互いに逆相の音声信号を出力する第１の２次側巻線コイルおよび第２の２次側巻線コイルを備えるトランスと、第１の２次側巻線コイルから出力される音声信号を非反転入力部に入力し、第２の２次側巻線コイルから出力される音声信号を反転入力部に入力して、出力信号を音声信号処理手段に供給する差動増幅手段とを有して構成されるようにしたので、トランスにより音声信号源側の回路と音声出力装置側の回路とを絶縁してＧＮＤループを分離することでＧＮＤループに起因するノイズを低減することができるとともに、トランスの２次側で発生するノイズを差動増幅手段により相殺して音声信号に含まれるノイズをさらに低減することができるという効果を奏する。
【図面の簡単な説明】
【図１】音声出力装置の概略構成を示すブロック図である。
【図２】この発明の実施の形態１による音声信号前処理回路の構成を示す回路図である。
【図３】この発明の実施の形態２による音声信号前処理回路の構成を示す回路図である。
【符号の説明】
１　ＡＶアンプ、２　音声出力装置、３ａ　（＋）側入力端子（第１の音声信号入力端子）、３ｂ　（−）側入力端子（第２の音声信号入力端子）、４　音声信号前処理回路、５　音声信号処理回路（音声信号処理手段）、６　スピーカ（音声出力手段）、１１　（＋）側入力部、１２　（−）側入力部、１３，１４　抵抗、１５　トランス、１６　１次側巻線コイル、１７　２次側巻線コイル、１８接地部、１９　コンデンサ、２０　抵抗、２１　出力部、３１　トランス、３２　２次側巻線コイル（第１の２次側巻線コイル）、３３　２次側巻線コイル（第２の２次側巻線コイル）、３４，３５　コンデンサ、３６，３７　抵抗、３８差動増幅器（差動増幅手段）
【図１】
2004112161.tif 000003
【図２】
2004112161.tif 000004
【図３】
2004112161.tif 000005